(57)【特許請求の範囲】
【請求項１】
ワークを収納する収納箱内に配置され、前記収納箱内に収納されたワークを前記収納箱内の所定位置に位置決め保持する収納保持体であって、
ワークの一側に突出して設けられた係合部と、
収納箱の内壁面に対向する収納保持体の側面に設けられ、前記ワークの係合部と係合する係合穴と、
ワークを出し入れする前記収納箱の蓋開口に面した前記収納保持体の一面から前記係合穴まで連通して形成され、ワークを前記収納箱内に収納する際に前記ワークの係合部を前記係合穴まで案内する案内部とを有すること、
を特徴とするワークの収納保持体。
【請求項２】
ワークを収納する収納箱内に、前記収納箱内の所定位置でワークを位置決め保持する収納保持体を配置し、この収納保持体の周りに複数個のワークを収納箱内に収納するようにしたワークの収納方法であって、
前記収納保持体を収納箱内の所定位置に配置し、
前記ワークを、前記収納保持体の側面に形成された係合穴とワークの一側に突出して設けられた係合部とを係合させて前記収納箱内に収納し、収納箱の内壁面と収納保持体の側面との間で位置決め保持させた後、
最後に収納すべきワークを、このワークの係合部を前記収納保持体の上面に設けられた係合穴に係合させて前記収納保持体の上面に載置したこと、を特徴とするワークの収納方法。
【請求項３】
前記収納箱の底部に前記ワークを収納したのち、前記収納保持体をこのワークに載置して前記収納箱内に配置し、前記収納保持体の周りに前記ワークを収納するようにしたこと、を特徴とする請求項２に記載のワークの収納方法。
【請求項４】
前記ワークを保護する保護カバーを、前記収納箱の底面から内壁面に沿わせて前記収納箱内に敷きつめるとともに、前記保護カバーの一部を前記収納箱の蓋開口より外側に垂下させ、前記収納箱内に配置した前記収納保持体の周りに前記ワークを収納した後、収納した前記ワーク同士が接触しないように前記ワークを前記収納箱内に敷いた前記保護カバーで包装し、次いで、前記収納箱の外側に出した前記保護カバーの一部で前記ワークの上部を覆い、残りの部分を再び前記収納箱の外側に出し、最後に収納すべき前記ワークを前記収納保持体の上面に載置し、このワークを前記保護カバーの残りの部分で包装するようにしたこと、を特徴とする請求項２または請求項３に記載のワークの収納方法。
【発明の詳細な説明】
【０００１】
【産業上の利用分野】
本発明は、自動車用のステアリング等のワークを収納箱の所定位置に保持する収納保持体および前記収納保持体を使用したワークの収納方法にかかり、詳しくは、ワークを収納箱内に効率良く、かつ、迅速に収納することのできるワークの収納保持体および収納方法に関するものである。
【０００２】
【従来技術】
例えば、自動車用のステアリングを所定の収納箱内に収納する従来の収納方法の一例を図６に示す。
収納箱１０には、長手方向を三等分するように２つの仕切り壁１１，１１が設けられていて、収納箱１０の内部を３つの区分に分割している。さらにこの区分の各々は、対角線に沿って仕切り壁１２，１２，１２で仕切られていて、この仕切り壁１２を挟んで２個のステアリングＳが対向して収納されるようになっている。すなわち、この収納方法によれば、一つの収納箱１０に６個のステアリングＳが収納される。
【０００３】
また、収納箱１０に収納されるステアリングＳは、ビニールや紙のような柔らかい材質のものでできた保護カバー１３により各々が包装されていて、搬送の途中で収納箱１０内のステアリングＳに傷が生じないようにされている。そして、ステアリングＳを保護カバー１３で包装するには、作業台等の上に保護カバー１３を拡げてその中央にステアリングＳを配置し、保護カバー１３でステアリングＳを包装し、複数箇所をテープ等で止めて保護カバー１３が解けないようにしているが、このような作業は人手に頼っており作業に多大な時間を要するうえ、作業者の負担も大きいという問題がある。さらに、上述した従来の収納方法によれば、ステアリングＳを収納した収納箱１０に占める無駄な空間の割合が大きく、所定容積内に収容することのできるステアリングＳの個数も少なくなって、搬送コストが高くなるという問題がある。
【０００４】
【発明が解決しようとする課題】
本発明は、上述の問題点を解決すべくなされたもので、一つの収納箱に効率よく多くのワークを収納することができ、かつ、収納も簡単で作業効率もよく、ワークの搬送コスト等を大幅に削減することができるワークの収納保持体および収納方法を得ること、および、保護カバーのワークへの巻き付け作業を、収納箱へのワークの収納作業とともに簡単かつ迅速に行うことができるワークの収納方法を得ることを目的とする。
【０００５】
【課題を解決するための手段】
上述の問題点を解決するために本発明のワークの収納保持体は、ワークを収納する収納箱内に配置され、前記収納箱内に収納されたワークを収納箱内の所定位置に位置決め保持する収納保持体であって、ワークの一側に突出して設けられた係合部と、収納箱の内壁面に対向する収納保持体の側面に設けられ、前記ワークの係合部と係合する係合穴と、ワークを出し入れする前記収納箱の蓋開口に面した前記収納保持体の一面から前記係合穴まで連通して形成され、ワークを前記収納箱内に収納する際に前記ワークの係合部を前記係合穴まで案内する案内部とを有することを特徴とする。
また、上記収納保持体を利用した本発明の収納方法は、ワークを収納する収納箱内に、前記収納箱内の所定位置でワークを位置決め保持する収納保持体を配置し、この収納保持体の周りに複数個のワークを収納箱内に収納するようにしたワークの収納方法であって、前記収納保持体を収納箱内の所定位置に配置し、前記ワークを、前記収納保持体の側面に形成された係合穴とワークの一側に突出して設けられた係合部とを係合させて前記収納箱内に収納し、収納箱の内壁面と収納保持体の側面との間で位置決め保持させた後、最後に収納すべきワークを、このワークの係合部を前記収納保持体の上面に設けられた係合穴に係合させて前記収納保持体の上面に載置したことを特徴とする。さらに、収納箱の底部にワークを収納した後、上記手順で順次ワークを収納するようにしてもよい。
収納したワークに傷が付かないようにワークを保護カバーで覆うには、ワークを保護する保護カバーを、収納箱の底面から内壁面に沿わせて収納箱内に敷きつめるとともに、前記保護カバーの一部を収納箱の蓋開口より外側に垂下させ、収納箱内に配置した収納保持体の周りにワークを収納した後、収納したワーク同士が接触しないように前記ワークを収納箱内に敷いた前記保護カバーで包装し、次いで、収納箱の外側に出した前記保護カバーの一部でワークの上部を覆って残余部を再び収納箱の外側に出し、最後に収納すべきワークを収納保持体の上面に載置し、このワークを前記保護カバーの残余部で包装するようにする。
【０００６】
【作用】
本発明は上記のように構成されているので、以下のように作用する。
収納保持体は、ワークから突出する係合部と係合可能な支持部を有し、さらに収納箱の蓋開口からこの支持部までワークの前記係合部を案内する案内部を設けたので、ワークはこの案内部で案内されながら収納箱の所定位置に収納され、係合部と支持部とが係合することにより、前記所定位置に位置決め保持される。
【０００７】
上記収納保持体を使用してワークを収納するには、まず、ワークを収納する収納箱内に前記の収納保持体を配置する。この収納保持体には、ワークから突出する係合部と係合する係合穴が設けられ、かつ、収納箱の蓋開口からワークを収納する際に、ワークの前記係合部を係合穴まで案内する案内部を有しているので、この案内部に沿って収納保持体の側面と収納箱の内壁面との間にワークを収納することができる。このようにして、収納保持体の周りに順次ワークを収納した後、蓋開口側の前記収納保持体の一面にワークを載置して収納箱の蓋を閉め、収納を終了する。すなわちワークは、収納保持体の側面と収納箱の内壁面との間に収納される。
【０００８】
搬送する際に収納したワークに傷を付けないように保護カバーをワークに皮覆する場合には、ワークを収納する前に収納箱内に、底部から内壁面に沿わせて保護カバーを敷きつめ、保護カバーの一部を収納箱の蓋開口から外側に出しておく。収納箱内にワークを収納するごとに、隣合うワーク同士が接触しないように収納箱内に敷いた前記保護カバーでワークを包装する。収納保持体の側面の周りにワークを収納した後は、収納箱の外側に出した前記保護カバーの一部でワークの上部を覆い、保護カバーの残った部分を再び収納箱の外側に出して待機させる。収納箱に収納すべき最後のワークを前記収納保持体の上面に載置させた後、このワークを前記保護カバーの残余部で包装するようにする。
【０００９】
【実施例】
本発明の好適な一実施例を図面に従って詳細に説明する。なお、この実施例ではワークとしての自動車用のステアリングを所定の大きさの収納箱に収納するものとして説明するが、本発明はこの実施例により何ら限定されるものではない。図１はこの実施例における収納保持体の斜視図、図２は図１の収納保持体の展開図である。
ステアリングＳを収納するダンボール製の収納箱１は、後述する収納方法により収納保持体２の４つの側面２ａ，２ｂ，２ｃ，２ｄおよび上面２ｅに５個のステアリングＳを保持させて収納できるように、一辺がステアリングＳの外径よりも若干大きくなるように形成され、かつ、ステアリングＳの外径よりも深底に形成されている。
【００１０】
収納箱１内に収納されたステアリングＳを所定位置に位置決め保持する収納保持体２は、簡単かつ安価に製造することができ、軽くてある程度の強度を有するもの、例えばダンボール等で形成することが望ましい。
ステアリングＳの裏面中央には、ステアリング・シャフトを嵌装するためのボス部（係合部）Ｓａ（図５参照）が突出して形成されている。また、収納保持体２の４つの側面２ａ，２ｂ，２ｃ，２ｄおよび上面２ｅの略中央には、図１に示すように、ステアリングＳのボス部Ｓａと係合する係合穴３が形成されているとともに、収納保持体２の上面２ｅからこの係合穴３に連通して案内部４が形成されている。この案内部４は、ボス部Ｓａと係合可能で、ステアリングＳを収納箱１に収納する際に、ボス部Ｓａを係合穴３まで案内するものである。
【００１１】
図２に示す収納保持体の展開図においては、図１の収納保持体２の側面２ａ〜２ｄおよび上面２ｅ等に該当する部分を、図１と同じ符号を付して示している。なお、図２で示す展開図を組み立ててなる収納保持体２は、上面２ｅが２枚重ねの状態となるが、これは、ステアリングＳの全重量を受けることになる前記上面２ｅを補強するためである。
図１の収納保持体２は、収納保持体２の側面２ａ〜２ｄおよび上面２ｅにステアリングＳを保持させて、５個のステアリングＳを収納できるようにしたものであるが、収納保持体の６つの面にステアリングＳを保持させることにより、一つの収納箱に６個のステアリングを収納できるようにすることも可能である。この場合には、図３に示すような収納保持体２′を使用すればよい。図４に図３の収納保持体２′の展開図を示すが、この収納保持体２′は、底部２′ｆにも係合穴３′が形成されていて、収納箱１′の底部に収納したステアリングＳと係合できるようになっている。
【００１２】
上述した収納保持体２，２′は、組み立てた状態で保管するものとしてもよいが、図２または図４で示すような展開図の状態で保管するものとすれば、搬送および保管の際に嵩張らず、収納保持体２，２′を大量に保管等しなければならない場合に便利である。そして、例えば折り目５や接合しろ７等を予め設けておき、この折り目５を境に折り曲げるとともに、接合しろ７をテープ等で接合することにより、極めて簡単かつ迅速に収納保持体２，２′を組み立てることができるようになる。
【００１３】
次に上記の収納保持体２を使用したステアリングＳの収納方法を説明する。ステアリングＳを収納箱１に収納して搬送する際には、ステアリングＳに傷が付かないように、ビニールや紙のように柔らかい材質のものでできた保護カバー６でステアリングＳを包装するのが一般的であるため、この実施例においても保護カバー６でステアリングＳを包装するものとして説明する。
【００１４】
図５は、ステアリングＳの収納の手順を説明する概略図である。
▲１▼  ４枚の帯状の保護カバー６を、それぞれ収納箱１の底面から内壁面に沿わせて収納箱１内に敷き、その一部を収納箱１の蓋開口より外側に出しておく（図５（ａ）  の状態）。
▲２▼  収納箱１内の中央に予め組み立てておいた収納保持体２を配置する。
▲３▼  収納箱１の蓋開口の上方側から，ステアリングＳのボス部Ｓａを収納保持体２の案内部４に係合させ、この案内部４に沿ってボス部Ｓａを案内させながらステアリングＳを収納箱１内に収納する（図５（ｂ）  の状態）。
▲４▼  収納箱１内に敷かれた保護カバー６の一部を引っ張って、隣接するステアリングＳ同士が接触しないようにステアリングＳを保護カバー６で包装する。
▲５▼  ▲３▼，▲４▼の作業を繰り返して、収納保持体２の周りに４個のステアリングＳを収納する。
▲６▼  ４個のステアリングＳを収納した後に、収納箱１の外側に出した保護カバー６の一部で収納箱１内に収納したステアリングＳの上部を包装し、保護カバー６の残りの部分を再び収納箱１の外側に出しておく（図５（ｃ）  の状態）。
▲７▼  ５個目のステアリングＳを収納保持体２の上面に載置し、ステアリングＳのボス部Ｓａを係合穴３に係合させる。
▲８▼  収納箱１の外側に出した保護カバー６の残りの部分で５個目のステアリングＳを包装し、収納箱１の蓋１ａを閉じて収納を完了する（図５（ｄ）  の状態）。
【００１５】
上記手順により、収納箱１に収納されたステアリングＳは図１において２点鎖線で示すように、収納箱１の内壁面と収納保持体２の側面２ａ〜２ｄとの間に４個のステアリングＳが収納され、収納保持体２の上面２ｅ、すなわち、収納箱１の蓋１ａの内側に１個のステアリングＳが収納されている。このように収納することにより、収納箱１内の無駄な空間を極力小さくすることができる。
一つの収納箱１′に６個のステアリングＳを収納する場合には、図３で示すように、収納箱１′の底部側に１個のステアリングＳが収納される状態となる。この場合には、上記の手順の▲１▼と▲２▼の間に、収納箱１′の底部中央にステアリングＳを収納する作業手順を加えればよい。そして、収納箱１′の底部中央に収納したステアリングＳの上に、ステアリングＳのボス部Ｓａと係合穴３′とを係合させて、収納保持体２′を配置すればよい。
【００１６】
本発明の好適な実施例を説明してきたが、本発明は上記実施例に限られるものではない。
例えば、上記の実施例では一つの収納箱に５つまたは６つのステアリングを収納する場合についてのみ説明したが、収納保持体の形態によってはそれ以上の個数のステアリングを一つの収納箱に収納できるようになることはいうまでもない。さらに、本発明はステアリングに限らず、他のワークについても適用が可能であることは勿論である。
【００１７】
【考案の効果】
本発明は上述したように構成されているので、収納箱に複数個のワークを簡単かつ迅速に収納することができるようになる。また、一つの収納箱に複数個のワークを効率良く収納できるようになる。さらに、ワークを保護カバーで被覆する必要がある場合でも、保護カバーの被覆を迅速かつ簡単に行えるようになる。
従って、本発明によれば、作業者の作業負担を軽減でき、ワークの搬送コストも大幅に低減することができるようになる。
【図面の簡単な説明】
【図１】この実施例における収納保持体の斜視図である。
【図２】図１の収納保持体の展開図である。
【図３】収納保持体の他の実施例にかかり、その斜視図である。
【図４】図３の収納保持体の展開図である。
【図５】本発明の収納方法によるワークの収納の手順を説明する概略図である。
【図６】自動車用のステアリングを所定の収納箱内に収納する従来の収納方法の一例を示す斜視図である。
【符号の説明】
Ｓ                          ステアリング（ワーク）
Ｓａ                        ボス部（係合部）
１，１′                    収納箱
２，２′                    収納保持体
２ａ，２ｂ，２ｃ，２ｄ      側面
２ｅ                        上面
３，３′                    係合穴
４，４′                    案内部
５                          折り目
６                          保護カバー
【図１】
0003554897.tif 000002
【図２】
0003554897.tif 000003
【図３】
0003554897.tif 000004
【図４】
0003554897.tif 000005
【図５】
0003554897.tif 000006
【図６】
0003554897.tif 000007